(57)【要約】【課題】アクセスのためのヘッドとデータ記録媒体との相対移動速度が変化する状態での迅速かつ確実なアドレッシングを実現すること、およびストップ・アンド・ゴー方式の記録に好適なデータ記録媒体を提供することを目的とする。【解決手段】データ記録媒体は、データを記憶するためのデータ領域と、データ領域を識別するためのアドレス領域とを有し、アドレス領域にアドレスに応じたビット列を表す第１のマークが形成された媒体において、アドレス領域の近傍に、アドレスに応じたビット列における全ビットのそれぞれの配置位置を指し示す第２のマークを形成する。【選択図】図３
2007200454.tif 000002
【特許請求の範囲】
【請求項１】
データを記憶するためのデータ領域と、前記データ領域を識別するためのアドレス領域とを有し、前記アドレス領域にアドレスに応じたビット列を表す第１のマークが形成されたデータ記録媒体であって、
前記アドレス領域の近傍に、前記アドレスに応じたビット列における全ビットのそれぞれの配置位置を指し示す第２のマークが形成されてなる
ことを特徴とするデータ記録媒体。
【請求項２】
同心円状に配列され又は螺旋を描くように並ぶ複数のトラックを有し、各トラックがデータを記憶するためのデータ領域と当該トラックを識別するためのアドレス領域とを含んでおり、前記アドレス領域にトラックアドレスに応じたビット列を表す第１のマークが形成された円盤状のデータ記録媒体であって、
前記アドレス領域の近傍に、前記トラックアドレスに応じたビット列における全ビットのそれぞれの配置位置を指し示す第２のマークが形成されてなる
ことを特徴とするデータ記録媒体。
【請求項３】
前記複数のトラックのそれぞれの両側に当該トラックに沿って並ぶ第３のマークが形成されており、前記第３のマークはそれらが形成された領域の周方向位置をコード化したビット列を表し、各トラックの一方の側に形成された第３のマークが表すビット列の各ビットの値と、他方の側に形成された第３のマークが表すビット列の各ビットの値とが反対である
請求項２に記載のデータ記録媒体。
【請求項４】
ホログラムによるデータの記録が可能な感光性材料からなる記録層と、前記記録層を支持する基板とから構成される
請求項２に記載のデータ記録媒体。
【請求項５】
データ記録媒体、前記データ記録媒体にアクセスするためのヘッド、前記データ記録媒体と前記ヘッドとを相対的に移動させる駆動手段、および前記駆動手段を制御するコントローラを備えた記憶装置であって、
前記データ記録媒体は、データを記憶するためのデータ領域と、前記データ領域を識別するためのアドレス領域とを有しており、
前記データ記録媒体において、前記アドレス領域にアドレスに応じたビット列を表す第１のマークが形成され、さらに前記アドレス領域の近傍に、前記アドレスに応じたビット列における全ビットのそれぞれの配置位置を指し示す第２のマークが形成されており、
前記ヘッドは、前記第１のマークの読取りと前記第２のマークの読取りとを同時に行い、前記第１のマークに対応した第１読取り信号と前記第２のマークに対応した第２読取り信号とを出力し、
前記コントローラは、前記第２読取り信号に同期して前記第１読取り信号をサンプリングし、それによって前記アドレスに応じたビット列を検知する
ことを特徴とする記憶装置。
【発明の詳細な説明】
【技術分野】
【０００１】
本発明は、アドレスに応じたビット列を表すマークが形成されたデータ記録媒体およびそれを用いる記憶装置に関する。
【背景技術】
【０００２】
磁気ディスク、光磁気ディスク、光ディスクといった円板状のデータ記録媒体が種々の用途に利用されている。一般に、これらデータ記録媒体に対するアクセス、すなわちデータの書込みまたは読出しは、データ記録媒体が一定の速度で回転している状態で行われる。
【０００３】
アクセス位置を特定する手法として、記録面を細分化した多数の区画のそれぞれに、その区画のアドレスを表すビット列に対応したマーク（以下、アドレスマークという）を形成しておく手法がある。アドレスマークは光学的または磁気的に検出可能な構造上の特徴である。例えば、ウォブル・ランドグルーブ方式の光ディスクであるＤＶＤ−ＲＡＭでは、ヘッドによってトレースされるトラックがユーザデータ領域とアドレス領域とに区画され、アドレス領域にアドレスマークとしてピットが形成されている。
【０００４】
アドレスマークが表すアドレス情報は、アドレッシング制御においてバイナリーデータに変換される。その際に、データ記録媒体の回転に同期し且つ周期がアドレスマークにおけるビット配列ピッチに対応するクロックが用いられる。すなわち、アドレスマークを等速度でトレースしたときに得られる読取り信号をクロックに従ってサンプリングし、サンプリング値を２値化する信号処理によってバイナリーデータが得られる。
【０００５】
クロックの生成には、あらかじめデータ記録媒体にクロック生成用のマーク（以下、クロックマークという）を形成しておく手法が広く用いられている。例えば特開２００１−３５０８９公報では、トラック上に所定の間隔で離散的にクロックマークとしてピットを配置するサーボ形式が開示されている。この形式では、回転するデータ記録媒体からクロックマークを読み取ったときのパルス信号に基づいて、ＰＬＬ(Phase Locked Loop)回路によって所望のクロックが生成される。また、クロックマークとしてウォブルを設けるサーボ形式、すなわち規則的に蛇行したグルーブによってクロックを得る形式がある。例えば特開平１１−１７５９７９号公報には、ランドであるアドレス領域とグルーブであるユーザデータ領域とが交互に並ぶトラックをもった光ディスクにおいて、ユーザデータ領域のグルーブを蛇行させるとともに、アドレス領域にアドレスマークとして形成するピットの配列をグルーブの蛇行と同様に蛇行させることが記載されている。このような光ディスクによれば、トラックの全長にわたってウォブルが存在するかのように、連続したクロックが得られる。
【０００６】
一方、ホログラムによってデータを記録するストレージが知られている。近年においては、記録密度の一層の向上を目指して、複数の干渉縞を１つの領域に多重に記録するストレージの開発が進められている。
【０００７】
多重記録は、データ記録媒体の記録層の内部に３次元の干渉縞パターンを形成する体積型であり、記録層の内部を変質させるのに十分な露光エネルギーの照射を必要とする。このような多重記録に関する先行技術が特許第３６３９２１２号公報によって開示されている。
【０００８】
上記特許第３６３９２１２号公報における光情報記録方法は、いわゆるストップ・アンド・ゴー(Stop & Go)方式と呼ばれる記録方法のひとつであり、データの書込みに際して参照光および情報光の照射スポットを一時的にデータ記録媒体の回転と同じ速度で回転方向に移動させる。そして、１つの領域への書込みを終えると、次に書き込むべき領域に照射スポットを到達させるために、照射スポットをデータ記録媒体よりも小さい速度で移動させる。書込み時には書き込むべき領域と照射スポットとが同じ方向に同じ速度で移動するので、照射スポットは書き込むべき領域に対して相対的に静止する。これにより、高出力のパルスレーザ光源を用いることなく、実用的な半導体レーザを用いて十分な露光を実現することができる。
【０００９】
また、上記特許第３６３９２１２号公報には、照射スポットとデータ記録媒体との相対移動速度が一定ではなく増大または減少する期間に、アドレスマークを読み取ってアドレスを正しく認識するための２つの技術が開示されている。１つは、あらかじめアドレスマークとしてピットを形成する際に、ピットが並ぶアドレス領域をヘッドがトレースするときの相対移動速度の変化の様相(変化率や時間など)を推定しておき、ピットの長さおよび配列間隔を相対移動速度が小さいほど短くするものである。これにより、相対移動速度が一定である場合と同様に、読取り信号に対する一定周期のサンプリングによってバイナリーデータ（アドレス）を得ることができる。他の１つは、相対移動を制御するコントローラがもつ移動速度情報に基づいて、読取り信号に対して信号処理を加えるものである。これによっても所望のバイナリーデータを得ることができる。
【特許文献１】特開２００１−３５０８９公報
【特許文献２】特開平１１−１７５９７９号公報
【特許文献３】特許第３６３９２１２号公報
【発明の開示】
【発明が解決しようとする課題】
【００１０】
従来のデータ記録媒体には、ストップ・アンド・ゴー方式の記録に用いた場合に、アドレスマークからその情報を迅速かつ確実に読み取ることができないという問題があった。
【００１１】
まず、等速回転中のアクセスを前提としてアドレスマークが形成された従来の一般的なデータ記録媒体では、アドレスマークをトレースするヘッドとの相対移動速度が変化するときにはアドレスマークからその情報を正しく読み取ることができない。したがって、従来例のような照射スポットを一時的にデータ記録媒体の回転と同じ速度で回転方向に移動させるストップ・アンド・ゴー動作においてもアドレスマークをトレースする速度を一定にしなければならない。なお、通常のストップ・アンド・ゴー方式は、記録時に記録媒体が停止し、記録が終わり次第、次ぎの記録スポットにヘッドが移動するものである。このような動作では、特に、あるスポットから目的とするスポットへの移動を開始する際の加速、ならびに目的とするスポットに停止する際の減速が必須であって速度が一定とならないので、スポット近辺にて移動の微調整が必要である。このため、迅速なアドレッシングは望めない。
【００１２】
また、従来の一般的なデータ記録媒体を用いるストップ・アンド・ゴー動作において、上記特許第３６３９２１２号公報が開示する技術、すなわちコントローラがもつ移動速度情報に基づいた信号処理を行う技術を適用したとしても、アドレスを確実に読み取ることは難しい。注目するアドレスマークの実際の移動速度と移動速度情報が示す速度とが常に完全に一致するとは限らないからである。
【００１３】
次に、上述のように相対移動速度が変化している期間での読取りを前提として長さおよび配列間隔が設定されたアドレスマークをもつ従来のデータ記録媒体では、実際の相対移動速度の変化と想定した変化との間にずれが生じたときに、アドレスを確実に読み取ることができない。特に、ランダムアクセスにおいては、実際の変化と想定した変化とのずれが生じやすいので、アドレッシングに失敗する確率が大きい。
【００１４】
本発明は以上の課題に鑑みてなされたものである。本発明の目的は、アクセスのためのヘッドとデータ記録媒体との相対移動速度が変化する状態での迅速かつ確実なアドレッシングを実現することである。他の目的は、ストップ・アンド・ゴー方式の記録に好適なデータ記録媒体を提供することである。
【課題を解決するための手段】
【００１５】
上記目的を達成するデータ記録媒体は、データを記憶するためのデータ領域と、前記データ領域を識別するためのアドレス領域とを有し、前記アドレス領域にアドレスに応じたビット列を表す第１のマークが形成された媒体であって、前記アドレス領域の近傍に、前記アドレスに応じたビット列における全ビットのそれぞれの配置位置を指し示す第２のマークが形成されているという特徴を備える。
【００１６】
第１および第２のマークは、光学的または磁気的に検出可能な構造上の特徴である。ピット、相変化膜、およびウォルブは代表的なマークとして挙げられる。
【００１７】
データ記録媒体は記憶装置に組み付けられる。記憶装置は、アクセスするためのヘッド、データ記録媒体とヘッドとを相対的に移動させる駆動機構、および駆動機構を制御するコントローラを備える。
【００１８】
ヘッドは、第１のマークの読取りと第２のマークの読取りとを同時に行い、第１のマークに対応した第１読取り信号と第２のマークに対応した第２読取り信号とを出力する。
【００１９】
コントローラは、第２読取り信号に同期して第１読取り信号をサンプリングし、それによってアドレスに応じたビット列を検知する。
【００２０】
第２のマークはヘッドに対して第１のマークと一体的に移動するので、移動速度に係わらず、常に第２読取り信号の値の推移は第１読取り信号の値の推移に対応する。したがって、第１読取り信号は移動速度の変化に応じて延び縮みする周期で正しくサンプリングされる。そして、第２のマークはアドレスに応じたビット列における全ビットのそれぞれの配置位置を指し示すビット対応のマークであるので、第１読取り信号のサンプリングによってアドレスの全ビットを正しく検知することができる。
【発明の効果】
【００２１】
請求項１ないし請求項５の発明によれば、アクセスのためのヘッドとデータ記録媒体との相対移動速度が変化する状態での迅速かつ確実なアドレッシングを実現することができる。
【発明を実施するための最良の形態】
【００２２】
図１は本発明に係るデータ記憶装置の構成を示す。例示のデータ記憶装置１００は干渉縞パターンの多重記録を行う。多重の方式は、１つの領域に対する参照光および情報光の照射を少しずつ角度を変えて複数回行う角度多重である。この種の装置における細部の構成については上記特許公報を含む公知文献に開示されているので、ここでは細部の詳しい説明を省略する。
【００２３】
データ記憶装置１００は、データ記録媒体１、光学ヘッド１０１、スピンドルモータ１０３、ヘッド駆動機構１０５、およびコントローラ１０７を備える。
【００２４】
データ記録媒体１は、ホログラムによるデータの記録が可能な記録層１Ａと、記録層１Ａを挟む一対の基板１Ｂ，１Ｃとから構成されるディスクである。記録層１Ａの材料としてはカチオン重合系やラジカル重合系のフォトポリマがある。基板１Ｂ，１Ｃはポリカーボネイトに代表される樹脂またはガラスからなる。基板１Ｂ，１Ｃには図示しない保護膜や光反射膜などが積層されている。
【００２５】
光学ヘッド１０１は、記録層１Ａにアクセスするための光学動作、すなわちホログラム情報の書込みおよび読出しのためのレーザ光照射および受光を担うとともに、後述するアドレスマークおよびクロックマークの読取りのためのレーザ光照射および受光を担う。受光は光電変換を含む。記録層１Ａへのアクセスとマークの読取りとで、それらに用いる光源および受光素子の一方または両方が共通であってもよいし、共通でなくてもよい。
【００２６】
スピンドルモータ１０３はデータ記録媒体１を回転させる。スピンドルモータ１０３は、データ記録媒体１と光学ヘッド１０１とを相対的に移動させる駆動手段である。
【００２７】
ヘッド駆動機構１０５は、シーク動作において光学ヘッド１０１をデータ記録媒体１の径方向に移動させる。
【００２８】
コンロトーラ１０７は、スピンドルモータ１０３およびヘッド駆動機構１０５を制御する。ストップ・アンド・ゴー形式のアクセスにおいて、データ記録媒体１の回転を一時的に止め、データ記録媒体１と光学ヘッド１０１とを相対的に静止させる。コンロトーラ１０７は光学ヘッド１０１からの受光信号を後述のクロックに同期してサンプリングし、それによってデータ記録媒体１に記録されているアドレスを検知する。検知されたアドレスに基づいてアドレッシングが行われる。
【００２９】
なお、特許第３６３９２１２号公報の開示のように光学ヘッド１０１をデータ記録媒体１の回転方向に一時的に移動させるヘッド構成を採用し、それによってストップ・アンド・ゴー動作を実現してもよい。
【００３０】
図２は本発明のデータ記録媒体における物理フォーマトの例を示す。
【００３１】
図２において、データ記録媒体１は螺旋を描くように並ぶ複数のトラック５を有する。ただし、トラック５の配列は同心円状であってもよい。各トラック５はデータ記録媒体１の周りを１周する長さをもつ。
【００３２】
データ記録媒体１は円形を同じ中心角をもつ多数の扇状領域に分割するよう放射状に区画され、各トラック５はそれそれが１つの扇状領域に対応する複数のフレーム８からなる。各フレーム８は周方向に区画され、複数のセクタ１０からなる。そして、各セクタ１０は、データを記憶するためのデータ領域１２とデータ領域１２を識別するためのアドレス領域１４とを有する。
【００３３】
データ記録媒体１では、アドレス領域１４のトラック幅方向の両側にクロックマーク領域１６が設けられている。また、各フレーム８におけるデータ記録媒体１の回転方向の先頭のセクタ１０には、２つのアドレス領域１４の一方に隣接させて第１のフレームアドレス領域１８が設けられ、他方のアドレス領域１４に隣接させて第２のフレームアドレス領域１９が設けられている。
【００３４】
図３は本発明に係るクロックマークの説明図である。
【００３５】
トラック５におけるアドレス領域１４には、トラックアドレスおよびセクタアドレスに応じたビット列を表すアドレスマーク２１，２２，２３，２４が形成されている。これらアドレスマーク２１，２２，２３，２４が本発明の第１のマークである。マークの形式はマークポジション形式であってもよいし、マークエッジ形式であってもよい。
【００３６】
アドレス領域１４を挟む一対のクロックマーク領域１６のそれぞれに、本発明の第２のマークである複数のクロックマーク６０が形成されている。２つのクロックマーク領域１６の構成は同一である。各クロックマーク領域１６の複数のクロックマーク６０によって、アドレス領域１４に記録されたアドレスビット列における全ビットの配置位置が指し示される。本例では、クロックマーク６０の配置形式はマークポジション形式であり、各クロックマーク６０が１ビットの配置位置を指し示す。
【００３７】
２つのクロックマーク領域１６のどちらか一方または両方がアドレス領域１４のトレースと並行して上述の光学ヘッド１０１によってトレースされる。これにより、複数のクロックマーク６０のそれぞれに対応したパルスで構成されるクロックＣＫが同期信号として得られる。
【００３８】
クロックＣＫのパルス周期はトレースの速度に依存する。トレース速度が一定であれば、図示のようにクロックＣＫのパルス周期は一定である。そして、トレース速度が変化すれば、それに応じてクロックＣＫの各パルスのパルス幅およびパルス間隔が変化する。ストップ・アンド・ゴー動作において、減速中はパルス幅およびパルス間隔が時間の経過につれて次第に長くなる。静止中はパルス幅およびパルス間隔が無限大である。加速中はパルス幅およびパルス間隔が次第に短くなる。
【００３９】
パルス周期は変化するものの、クロックマーク６０が上述のとおりアドレスビット列に対してビット対応に形成されているので、クロックＣＫの各パルスの現出するタイミングはアドレス領域１４の各ビット配置位置がトレースされるタイミングと一致する。したがって、アドレス領域１４のトレースによって得られる読取り信号Ｓ１４をクロックＣＫに同期してサンプリングし、サンプリング値を２値化することにより、あらかじめアドレス領域１４に記録されたアドレス８５を正しくバイナリーデータとして検知することができる。
【００４０】
図４は本発明に係るクロック・アドレスマークの説明図である。
【００４１】
第１のフレームアドレス領域１８および第２のフレームアドレス領域１９には、本発明の第３のマークであるクロック・アドレスマーク６２が形成されている。クロック・アドレスマーク６２は、クロックマーク６０の配列ピッチと同じ長さずつトラック５を長さ方向に沿って区画することによって得られる複数の小片領域のそれぞれ（図中のトラック５内の隣接する破線間の部分）に対して１個の割合で配置されている。１つの小片領域に対応する１つのクロック・アドレスマーク６２が第１のフレームアドレス領域１８に配置された場合、第２のフレームアドレス領域１９にはその小片領域に対応するクロック・アドレスマーク６２は存在しない。逆に１つの小片領域に対応する１つのクロック・アドレスマーク６２が第２のフレームアドレス領域１９に配置された場合は、第１のフレームアドレス領域１８にはその小片領域に対応するクロック・アドレスマーク６２は存在しない。つまり、小片領域を１ビットの配置領域とすると、第１のフレームアドレス領域１８に形成されたクロック・アドレスマーク６２が表すビット列の各ビットの値と、第２のフレームアドレス領域１９に形成されたクロック・アドレスマーク６２が表すビット列の各ビットの値とが反対である。
【００４２】
第１のフレームアドレス領域１８および第２のフレームアドレス領域１９は同時にトレースされる。第１のフレームアドレス領域１８のトレースによって得られる読取り信号Ｓ１８と、第２のフレームアドレス領域１９のトレースによって得られる読取り信号Ｓ１９とを、これらの論理和をとるように合成することにより、クロックＣＫが得られる。そして、クロックＣＫに同期して、クロックＣＫの２パルス周期で読取り信号Ｓ１８の値と読取り信号Ｓ１９の値との組み合わせを判別することにより、フレームアドレス８８を検知することができる。図４の例では、２パルス周期の１パルス目で読取り信号Ｓ１８の値が１（パルス有り）のときはフレームアドレス８８のビット値は１であり、１パルス目で読取り信号Ｓ１９の値が１のときはフレームアドレス８８のビット値は０である。
【００４３】
図５は本発明に係るアクセス動作の概要を示すフローチャートである。
【００４４】
コントローラ１０７は、以前に検知した最新のアドレスからデータ記録媒体１における光学ヘッド１０１が対向する位置（以下、これを便宜的にヘッド位置という）を認識する（＃１１）。外部装置からのアクセス要求に応じた目標アドレスを設定し（＃１２）、シーク量である差分トラックを計算する（＃１３）。光学ヘッド１０１を目標アドレスに対応したトラックへ移動させる（＃１４）。シーク動作は加速と減速を含む。シーク動作と並行してデータ記録媒体１の回転（ディスク回転）を開始させる（＃１５）。そして、コントローラ１０７は、読取り信号Ｓ１４をクロックＣＫに同期してサンプリングし、サンプリング値を２値化することにより、アドレス８５を検知する。すなわち、現時点で光学ヘッド１０１がトレースしているトラックを認識する。
【００４５】
以上の動作を、現在のヘッド位置が目標のトラックと一致するまで繰り返す（＃１７）。
【００４６】
光学ヘッド１０１が目標トラックに到達すると、フレームアドレス８８を検知する（＃１８）。ヘッド位置が目標フレームに近づくと（＃１９）、ディスク回転を減速させる（＃２０）。ヘッド位置が目標フレームに到着すると（＃２１）、ディスク回転を停止させる（＃２２）。そして、データの書込みまたは読出しを行う（＃２３）。
【００４７】
図６は隣接トラックにおけるクロック・アドレスマークの配置関係を示す。
【００４８】
データ記録媒体１においては、上述のとおり各トラック５に対して第１のフレームアドレス領域１８および第２のフレームアドレス領域１９が配置され、図６のように径方向に並ぶトラック５のトラック間に第１のフレームアドレス領域１８および第２のフレームアドレス領域１９のどちらか一方のみが配置されている。つまり、複数のトラック間に第１のフレームアドレス領域１８と第２のフレームアドレス領域１９とが交互に配置されている。これにより、１つのトラック間に隣接するトラック５の一方に対応した第１のフレームアドレス領域１８と、他方のトラック５に対応した第２のフレームアドレス領域１９とを配置する場合と比べて、トラック５の配列密度を高めることができる。
【００４９】
図２で説明したようにデータ記録媒体１は放射状に区画されているので、径方向に隣接するトラック５の間で、フレーム８の周方向の位置は同一である。したがって、径方向に並ぶ第１のフレームアドレス領域１８および第２のフレームアドレス領域１９がもつフレームアドレス情報は同一であってよい。
【００５０】
図７はクロックマークの変形例を示す。
【００５１】
図７では、クロックマーク領域１６にマークエッジ形式で複数のクロックマーク７０が形成されている。すなわち、各クロックマーク７０の周方向の前端と後端とがそれぞれアドレス領域１４における１ビットの配置領域に対応する。
【００５２】
クロックマーク領域１６のトレースによって得られる読取り信号Ｓ１６ｂ，Ｓ１６ｃの各パルスの前端および後端を検出することにより、図３と同様のクロックＣＫが得られる。
【００５３】
図７（Ａ）では各クロックマーク７０の端縁の周方向位置がアドレス領域１４における１ビットの配置領域の周方向位置と一致している。図７（Ｂ）では各クロックマーク７０の端縁の周方向位置がアドレス領域１４における１ビットの配置領域の周方向位置とずれている。図７（Ｂ）の場合には、読取り信号Ｓ１６ｃの各パルスの前端および後端に対して位置ずれに対応した遅れａをもつクロックＣＫを用いてアドレス領域１４の読取り信号をサンプリングすればよい。
【００５４】
以上の実施形態では、記録層１Ａの片側に配置された光学ヘッド１０１によってアクセスされる反射型のデータ記録媒体１を例示したが、データ記録媒体の層構成は透過型であってもよい。上記実施形態のデータ記録媒体１において、クロックマーク６０，７０およびクロック・アドレスマーク６２は、ピット、ウォルブ、相変化などの光学的に読取り可能なものであればよい。
【００５５】
上記実施形態において、トラック５の配列および分割形式を含む物理フォーマット、アドレス８５およびフレームアドレスのビット数、アドレス値、および多重記録の方式は例示に限定されない。例えば、全てのセクタ１０に第１および第２のフレームアドレス領域１８，１９を配置してもよい。
【００５６】
本発明は光ディスクに限らず、磁気ディスクにも適用可能である。また、多重記録によって所望の記録密度が得られる場合、必ずしも記録層とヘッドとを高速に相対移動させる必要はないので、データ記録媒体がディスクである必要はない。データ記録媒体を固定し、ヘッドのみを移動させる装置構成においても本発明を適用することができる。
【産業上の利用可能性】
【００５７】
本発明は、ストップ・アンド・ゴー形式でのデータを書込みおよび読出しに有用である。
【図面の簡単な説明】
【００５８】
【図１】本発明に係るデータ記憶装置の構成を示す図である。
【図２】本発明のデータ記録媒体における物理フォーマトの例を示す図である。
【図３】本発明に係るクロックマークの説明図である。
【図４】本発明に係るクロック・アドレスマークの説明図である。
【図５】本発明に係るアクセス動作の概要を示すフローチャートである。
【図６】隣接トラックにおけるクロック・アドレスマークの配置関係を示す図である。
【図７】クロックマークの変形例を示す図である。
【符号の説明】
【００５９】
１  データ記録媒体
１２  データ領域
１４  アドレス領域
８５  アドレス
２１，２２，２３，２４  アドレスマーク（第１のマーク）
６０，７０  クロックマーク（第２のマーク）
５  トラック
６２  クロック・アドレスマーク（第３のマーク）
１Ａ  記録層
１Ｂ，１Ｃ  基板
１０１  光学ヘッド
１０３  スピンドルモータ（駆動機構）
１０７  コントローラ
１００  記憶装置
Ｓ１４  読取り信号（第１読取り信号）
ＣＫ  クロック（第２読取り信号）
【図１】
2007200454.tif 000003
【図２】
2007200454.tif 000004
【図３】
2007200454.tif 000005
【図４】
2007200454.tif 000006
【図５】
2007200454.tif 000007
【図６】
2007200454.tif 000008
【図７】
2007200454.tif 000009